(57)【要約】【課題】本発明は、液晶パネルの画素単位の設定方法を提供する。【解決手段】前記液晶パネルは、複数の画素単位からなり、各画素単位は少なくとも青色サブ画素単位からなる。前記設定方法は、以下からなる。前記青色サブ画素をメイン画素領域Ｍとサブ画素領域Ｓに分割する。前記メイン画素領域Ｍとサブ画素領域Ｓの面積比はａ：ｂである。前記液晶パネルの青色サブ画素の正視角α及び斜視角βにおける各グレースケールＧの実質輝度Ｌｖαを取得する。１つの画素単位に入力する前記メイン画素領域Ｍ及びサブ画素領域Ｓのグレースケールの組み合わせを設定し、前記画素単位の正視角及び斜視角における、実質輝度と理論輝度の差の和を最小にし、前記画素単位におけるすべてのグレースケールにおいてメイン画素領域Ｍとサブ画素領域Ｓに入力されるグレースケールを取得する。【選択図】図２
2017538148.tif 000002
【特許請求の範囲】
【請求項１】
液晶パネルの画素単位の設定方法であって、前記液晶パネルは、複数の画素単位からなり、各画素単位は少なくとも青色サブ画素単位からなり、
前記液晶パネルの画素単位の設定方法は、
前記青色サブ画素をメイン画素領域Ｍとサブ画素領域Ｓに分割し、前記メイン画素領域Ｍとサブ画素領域Ｓの面積比はａ：ｂである手順Ｓ１０と、
前記液晶パネルの青色サブ画素の正視角αにおける各グレースケールＧの実質輝度Ｌｖαを取得する手順Ｓ１１と、
前記液晶パネルの青色サブ画素の斜視角βにおける各グレースケールＧの実質輝度Ｌｖβを取得する手順Ｓ１２と、
前記メイン画素領域Ｍ及びサブ画素領域Ｓの面積比に基づいて、実質輝度ＬｖαとＬｖβを、関係式：
【数１７】
2017538148.tif 000019
によって分ける手順ｓ１３と、
手順Ｓ１１とＳ１２が取得した最高グレースケールｍａｘの実質輝度Ｌｖα（ｍａｘ）とＬｖβ（ｍａｘ）、
【数１８】
2017538148.tif 000020
の式に基づいて、前記液晶パネルの青色サブ画素の正視角αと斜視角βにおけるグレースケールＧの理論輝度ＬｖＧｘαとＬｖＧｘβを算出する手順Ｓ１４と、
前記青色サブ画素のうちの１つのグレースケールＧｘを確定し、メイン画素領域Ｍとサブ画素領域Ｓに入力される所定のグレースケールをそれぞれＧｍｘとＧｓｘとし、上述の手順Ｓ１３の結果から得られた実質輝度ＬｖＭαとＬｖＭβ及びＬｖＳαとＬｖＳβ、及び上述の手順Ｓ１４の結果に基づいて、理論輝度ＬｖＧｘαとＬｖＧを取得し、以下の関係式：
【数１９】
2017538148.tif 000021
を計算する手順Ｓ１５と、
画素単位の青色サブ画素の各グレースケールに対して、手順Ｓ１５を繰り返し、さらに前記画素単位におけるすべてのグレースケールにおいて、メイン画素領域Ｍとサブ画素領域Ｓに入力されるグレースケールを取得する手順Ｓ１６と、
からなり、
前記メイン画素領域Ｍの正視角α及び斜視角βにおける各グレースケールＧの実質輝度ＬｖＭαとＬｖＭβを取得し、前記サブ画素領域Ｓの正視角α及び斜視角βにおける各グレースケールＧの実質輝度ＬｖＳαとＬｖＳβを取得し、
ｙが最小値を取得する時に対応するグレースケールＧｍｘとＧｓｘは、前記青色サブ画素がグレースケールＧｘの時にメイン画素領域Ｍとサブ画素領域Ｓに入力されたグレースケールに設定されることを特徴とする、液晶パネルの画素単位の設定方法。
【請求項２】
前記正視角αは０°であり、前記斜視角βは３０〜８０°であることを特徴とする、請求項１に記載の液晶パネルの画素単位の設定方法。
【請求項３】
前記液晶パネルのグレースケールは、０から２５５までの２５６個のグレースケールを備え、そのうち、最高グレースケールは２５５であることを特徴とする、請求項１に記載の液晶パネルの画素単位の設定方法。
【請求項４】
前記液晶パネルの青色サブ画素の正視角αにおける各グレースケールＧの実質輝度Ｌｖαを取得する手順は、
正視角αにおけるｇａｍｍａ曲線を直接測定する手順と、
ｇａｍｍａ曲線から前記実質輝度Ｌｖαを確定する手順と、
からなることを特徴とする、請求項１に記載の液晶パネルの画素単位の設定方法。
【請求項５】
前記液晶パネルの青色サブ画素の斜視角βにおける各グレースケールＧの実質輝度を取得する手順は、
斜視角βにおけるｇａｍｍａ曲線Ｌｖβを直接測定する手順と、
ｇａｍｍａ曲線により前記実質輝度Ｌｖβを確定する手順と、
からなることを特徴とする、請求項４に記載の液晶パネルの画素単位の設定方法。
【請求項６】
前記画素単位は、さらに赤色サブ画素と緑色サブ画素からなり、青色サブ画素のデータパラメータを設定し直す時、赤色サブ画素と緑色サブ画素のデータ信号は変化しないことを特徴とする、請求項１に記載の液晶パネルの画素単位の設定方法。
【請求項７】
前記青色サブ画素のメイン画素領域Ｍとサブ画素領域Ｓは、それぞれデータ信号を提供するデータラインに接続されることを特徴とする、請求項６に記載の液晶パネルの画素単位の設定方法。
【請求項８】
前記メイン画素領域Ｍとサブ画素領域Ｓの斜視角における輝度曲線Ｇａｍｍａ（γ）曲線において、γ＝２．２であることを特徴とする、請求項１に記載の液晶パネルの画素単位の設定方法。
【請求項９】
液晶パネルの画素単位の設定方法であり、前記液晶パネルは、複数の画素単位からなり、各画素単位は少なくとも青色サブ画素単位と、赤色サブ画素単位と、緑色サブ画素単位と、からなり、
液晶パネルの画素単位の設定方法は、
前記青色サブ画素を一定の面積比に基づいて、メイン画素領域Ｍ及びサブ画素領域Ｓに分ける手順と、
前記液晶パネルの青色サブ画素の正視角α及び斜視角βにおける各グレースケールＧの実質輝度を取得する手順と、
前記メイン画素領域Ｍ及びサブ画素領域Ｓの面積比に基づいて、実質輝度を分けるとともに、メイン画素領域Ｍ及びサブ画素領域Ｓにおけるグレースケール値と実質輝度の対応関係を構築する手順と、
最高グレースケールの輝度を取得し、各グレースケールの理論輝度を計算し、１つの画素単位に入力する前記メイン画素領域Ｍ及びサブ画素領域Ｓのグレースケールの組み合わせを設定し、前記画素単位の正視角及び斜視角における、実質輝度と理論輝度の差の和を最小にする手順と、
からなることを特徴とする、液晶パネルの画素単位の設定方法。
【請求項１０】
バックライトモジュール及びバックライトモジュールと向かい合って設置される液晶パネルからなる液晶表示装置であって、前記バックライトモジュールは、液晶パネルにディスプレイ光源を提供し、前記液晶パネルは、複数の画素単位からなり、各画素単位は少なくとも青色サブ画素単位を備え
前記液晶パネルが画素単位を設定する方法は、
前記青色サブ画素をメイン画素領域Ｍとサブ画素領域Ｓに分割し、前記メイン画素領域Ｍとサブ画素領域Ｓの面積比はａ：ｂである手順Ｓ１０と、
前記液晶パネルの青色サブ画素の正視角αにおける各グレースケールＧの実質輝度Ｌｖαを取得する手順Ｓ１１と、
前記液晶パネルの青色サブ画素の斜視角βにおける各グレースケールＧの実質輝度Ｌｖβを取得する手順Ｓ１２と、
前記メイン画素領域Ｍ及びサブ画素領域Ｓの面積比に基づいて、実質輝度ＬｖαとＬｖβを、関係式：
【数２０】
2017538148.tif 000022
によって分ける手順ｓ１３と、
手順Ｓ１１とＳ１２が取得した最高グレースケールｍａｘの実質輝度Ｌｖα
（ｍａｘ）とＬｖβ（ｍａｘ）、
【数２１】
2017538148.tif 000023
の式に基づいて、前記液晶パネルの青色サブ画素の正視角αと斜視角βにおけるグレースケールＧの理論輝度ＬｖＧｘαとＬｖＧｘβを算出する手順Ｓ１４と、
前記青色サブ画素のうちの１つのグレースケールＧｘを確定し、メイン画素領域Ｍとサブ画素領域Ｓに入力される所定のグレースケールをそれぞれＧｍｘとＧｓｘとし、上述の手順Ｓ１３の結果から得られた実質輝度ＬｖＭαとＬｖＭβ及びＬｖＳαとＬｖＳβ、及び上述の手順Ｓ１４の結果に基づいて、理論輝度ＬｖＧｘαとＬｖＧを取得し、以下の関係式：
【数２２】
2017538148.tif 000024
を計算する手順Ｓ１５と、
画素単位の青色サブ画素の各グレースケールに対して、手順Ｓ１５を繰り返し、さらに前記画素単位におけるすべてのグレースケールにおいて、メイン画素領域Ｍとサブ画素領域Ｓに入力されるグレースケールを取得する手順Ｓ１６と、
からなり、
前記メイン画素領域Ｍの正視角α及び斜視角βにおける各グレースケールＧの実質輝度ＬｖＭαとＬｖＭβを取得し、前記サブ画素領域Ｓの正視角α及び斜視角βにおける各グレースケールＧの実質輝度ＬｖＳαとＬｖＳβを取得し、
ｙが最小値を取得する時に対応するグレースケールＧｍｘとＧｓｘは、前記青色サブ画素がグレースケールＧｘの時にメイン画素領域Ｍとサブ画素領域Ｓに入力されたグレースケールに設定されることを特徴とする、液晶表示装置。
【請求項１１】
前記液晶パネルは、ゲート制御装置とソース制御装置からなり、前記ゲート制御装置は、複数のスキャンラインによって前記画素単位にスキャン信号を提供し、前記ソース制御装置は、複数のデータラインによって前記画素単位にデータ信号を提供することを特徴とする、請求項９に記載の液晶パネルの液晶表示装置。
【発明の詳細な説明】
【技術分野】
【０００１】
本発明は、２０１４  年  １１  月  ５  日に提出した申請番号２０１４１０６２０８００．３・発明名称「液晶パネル及びその画素単位の設定方法」の先願優先権を要求し、前記先願の内容は引用の方法で本文中に合併される。
【０００２】
本発明は、液晶表示装置の技術分野に関し、特に、液晶パネル及びその画素単位の設定方法に関する。
【背景技術】
【０００３】
液晶表示装置またはＬＣＤ（Ｌｉｑｕｉｄ  Ｃｒｙｓｔａｌ  Ｄｉｓｐｌａｙ）は、平らで非常に薄い表示装置であり、一定の数のカラーまたは白黒の画素で構成されており、光源または反射板の前に設置される。液晶表示装置は、消費電力が低いとともに、高画質であり、嵩張らず、軽いといった特徴を備えるため人気があり、ディスプレイの主流になっている。液晶表示装置は、表示スクリーンを備える計算機装置、携帯電話、デジタルフォトフレーム等、各種電気製品の中で広く使用されており、広視野角技術は、現在液晶表示装置の発展の鍵を握る技術の一つである。しかしながら、横から見るまたは斜めに見るなど視覚が大き過ぎると、広視野角液晶表示装置は色ずれ現象（ｃｏｌｏｒ  ｓｈｉｆｔ）及び光漏れ現象を引き起こすことが多い。
【０００４】
広視野角液晶表示装置が色ずれ現象を引き起こす問題について、現在業界では２Ｄ１Ｇ技術の出現によって改善が図られている。いわゆる２Ｄ１Ｇ技術とは、液晶パネル中の各画素単位（ｐｉｘｅｌ）を面積が一様ではないメイン画素領域（Ｍａｉｎ  ｐｉｘｅｌ）とサブ画素領域（Ｓｕｂ  ｐｉｘｅｌ）に分け、等しい画素単位におけるメイン画素領域とサブ画素領域を、異なるデータライン（Ｄａｔａ  ｌｉｎｅ）と同じゲートライン（Ｇａｔｅ  ｌｉｎｅ）に接続したものである。メイン画素領域とサブ画素領域に異なるデータ信号（異なるグレースケール値）を入力することによって、異なる表示輝度と斜視輝度が得られ、横または斜めに見た際に起こる色ずれの問題が少なくなる。しかしながら、各画素単位をメイン画素領域とサブ画素領域に分けた後、その入力されたデータ信号のデータラインは、元の２倍になるため、透過率に影響を及ぼし、液晶パネルの表示品質が低下する。
【発明の概要】
【発明が解決しようとする課題】
【０００５】
本発明は、透過率の影響を減少させ、横からまたは斜めに見る時に生じる色ずれ問題を減らす、液晶パネル及びその画素単位の設定方法を提供することを目的とする。
【課題を解決するための手段】
【０００６】
本発明は、さらに液晶表示装置を提供する。
【０００７】
液晶パネルの画素単位の設定方法であり、前記液晶パネルは、複数の画素単位からなり、各画素単位は少なくとも１つの青色サブ画素単位からなる。前記設定方法は、以下からなる。
【０００８】
手順Ｓ１０は、前記青色サブ画素をメイン画素領域Ｍとサブ画素領域Ｓに分割する。前記メイン画素領域Ｍとサブ画素領域Ｓの面積比はａ：ｂである。
【０００９】
手順Ｓ１１は、前記液晶パネルの青色サブ画素の正視角αにおける各グレースケールＧの実質輝度Ｌｖαを取得する。
【００１０】
手順Ｓ１２は、前記液晶パネルの青色サブ画素の斜視角βにおける各グレースケールＧの実質輝度Ｌｖβを取得する。
【００１１】
手順Ｓ１３は、前記メイン画素領域Ｍとサブ画素領域Ｓの面積比に基づいて、実質輝度ＬｖαとＬｖβを以下の関係式によって分ける。
【００１２】
【数１】
2017538148.tif 000003
【００１３】
【数２】
2017538148.tif 000004
【００１４】
前記メイン画素領域Ｍの正視角α及び斜視角βにおける各グレースケールＧの実質輝度ＬｖＭαとＬｖＭβを取得する。前記サブ画素領域Ｓの正視角α及び斜視角βにおける各グレースケールＧの実質輝度ＬｖＳαとＬｖＳβを取得する。
【００１５】
手順Ｓ１４は、手順Ｓ１１とＳ１２が取得した最高グレースケールｍａｘの
実質輝度Ｌｖα（ｍａｘ）とＬｖβ（ｍａｘ）、
【数３】
2017538148.tif 000005
に基づいて、前記液晶パネルの青色サブ画素の正視角α及び斜視角βにおけるグレースケールＧの理論輝度ＬｖＧｘαとＬｖＧｘβを算出する。
【００１６】
手順Ｓ１５は、前記青色サブ画素のうちの１つのグレースケールＧｘを確定し、メイン画素領域Ｍとサブ画素領域Ｓに入力される所定のグレースケールをそれぞれＧｍｘとＧｓｘとし、上述の手順Ｓ１３の結果から得られた実質輝度ＬｖＭαとＬｖＭβ及びＬｖＳαとＬｖＳβ、及び上述の手順Ｓ１４の結果に基づいて、理論輝度ＬｖＧｘαとＬｖＧｘβを取得し、以下の関係式を計算する。
【００１７】
【数４】
2017538148.tif 000006
【００１８】
ｙが最小値を取得する時に対応するグレースケールＧｍｘとＧｓｘは、前記青色サブ画素がグレースケールＧｘの時にメイン画素領域Ｍとサブ画素領域Ｓに入力されたグレースケールに設定される。
【００１９】
手順Ｓ１６は、画素単位の青色サブ画素の各グレースケールに対して、手順Ｓ１５を繰り返し、さらに前記画素単位におけるすべてのグレースケールにおいて、メイン画素領域Ｍとサブ画素領域Ｓに入力するグレースケールを取得する。
【００２０】
そのうち、前記正視角αは０°であり、前記斜視角βは３０〜８０°である。
【００２１】
そのうち、前記液晶パネルのグレースケールは、０から２５５までの２５６個のグレースケールを備え、そのうち、最高グレースケールは２５５である。
【００２２】
そのうち、前記液晶パネルの青色サブ画素の正視角αにおける各グレースケールＧの実質輝度Ｌｖαを取得する前記手順は、以下からなる。
【００２３】
正視角αにおけるｇａｍｍａ曲線を直接測定する。
【００２４】
ｇａｍｍａ曲線により前記実質輝度Ｌｖαを確定する。
【００２５】
そのうち、前記液晶パネルの青色サブ画素の斜視角βにおける各グレースケールＧの実質輝度を取得する前記手順は、以下からなる。
【００２６】
斜視角βおけるｇａｍｍａ曲線Ｌｖβを直接測定する。
【００２７】
ｇａｍｍａ曲線により前記実質輝度Ｌｖβを確定する。
【００２８】
そのうち、前記画素単位は、さらに赤色サブ画素と緑色サブ画素からなり、青色サブ画素のデータパラメータを一から設定する時、赤色サブ画素と緑色サブ画素のデータ信号は変化しない。
【００２９】
そのうち、前記青色サブ画素のメイン画素領域Ｍとサブ画素領域Ｓは、それぞれデータ信号を提供するデータラインに接続される。
【００３０】
そのうち、前記メイン画素領域Ｍとサブ画素領域Ｓの斜視角における輝度曲線であるＧａｍｍａ（γ）曲線において、γ＝２．２である。
【００３１】
液晶パネルの画素単位の設定方法であり、前記液晶パネルは、複数の画素単位からなり、各画素単位は少なくとも青色サブ画素単位と、赤色サブ画素単位と、緑色サブ画素単位と、からなる。その特徴は、前記設定方法における以下の点にある。
【００３２】
前記青色サブ画素を一定の面積比に基づいて、メイン画素領域Ｍ及びサブ画素領域Ｓに分ける。
【００３３】
前記液晶パネルの青色サブ画素の正視角α及び斜視角βにおける各グレースケールＧの実質輝度を取得する。
【００３４】
前記メイン画素領域Ｍ及びサブ画素領域Ｓの面積比に基づいて、実質輝度を分けるとともに、メイン画素領域Ｍ及びサブ画素領域Ｓにおけるグレースケール値と実質輝度の対応関係を構築する。
【００３５】
最高グレースケールの輝度を取得し、各グレースケールの理論輝度を計算し、１つの画素単位に入力する前記メイン画素領域Ｍ及びサブ画素領域Ｓのグレースケールの組み合わせを設定し、前記画素単位の正視角及び斜視角における、実質輝度と理論輝度の差の和を最小にする。
【００３６】
本発明は、さらに液晶表示装置を提供し、バックライトモジュール及びバックライトモジュールと向かい合って設置される液晶パネルからなり、前記バックライトモジュールは、液晶パネルにディスプレイ光源を提供し、前記液晶パネルは、複数の画素単位からなり、各画素単位は少なくとも青色サブ画素単位を備える。前記液晶パネルが画素単位を設定する方法、以下からなる。手順Ｓ１０は、前記青色サブ画素をメイン画素領域Ｍとサブ画素領域Ｓに分ける。前記メイン画素領域Ｍ及びサブ画素領域Ｓの面積比はａ：ｂである。
【００３７】
手順Ｓ１１は、前記液晶パネルの青色サブ画素の正視角αにおける各グレースケールＧの実質輝度Ｌｖαを取得する。
【００３８】
手順Ｓ１２は、前記液晶パネルの青色サブ画素の斜視角βにおける各グレースケールＧの実質輝度Ｌｖβを取得する。
【００３９】
手順Ｓ１３は、前記メイン画素領域Ｍ及びサブ画素領域Ｓの面積比に基づいて、実質輝度ＬｖαとＬｖβを以下の関係式によって分ける。
【００４０】
【数５】
2017538148.tif 000007
【００４１】
【数６】
2017538148.tif 000008
【００４２】
前記メイン画素領域Ｍの正視角α及び斜視角βにおける各グレースケールＧの実質輝度ＬｖＭαとＬｖＭβを取得する。前記サブ画素領域Ｓの正視角α及び斜視角βにおける各グレースケールＧの実質輝度ＬｖＳαとＬｖＳβを取得する。
【００４３】
手順Ｓ１４は、手順Ｓ１１とＳ１２が取得した最高グレースケールｍａｘの実質輝度Ｌｖα（ｍａｘ）とＬｖβ（ｍａｘ）、
【数７】
2017538148.tif 000009
の式に基づいて、前記液晶パネルの青色サブ画素の正視角αと斜視角βにおけるグレースケールＧの理論輝度ＬｖＧｘαとＬｖＧｘβを算出する。
【００４４】
手順Ｓ１５は、前記青色サブ画素のうちの１つのグレースケールＧｘを確定し、メイン画素領域Ｍとサブ画素領域Ｓ入力される所定のグレースケールをそれぞれＧｍｘとＧｓｘとし、上述の手順Ｓ１３の結果から得られた実質輝度ＬｖＭαとＬｖＭβ及びＬｖＳαとＬｖＳβ、及び、上述の手順Ｓ１４の結果から得られた理論輝度ＬｖＧｘαとＬｖＧｘβに基づいて、以下の関係式を計算する。
【００４５】
【数８】
2017538148.tif 000010
【００４６】
ｙが最小値を取得する時に対応するグレースケールＧｍｘとＧｓｘは、前記青色サブ画素がグレースケールＧｘの時にメイン画素領域Ｍとサブ画素領域Ｓに入力されるグレースケールに設定される。
【００４７】
手順Ｓ１６は、画素単位の青色サブ画素の各グレースケールに対して手順Ｓ１５を繰り返し、さらに前記画素単位におけるすべてのグレースケールにおいて、メイン画素領域Ｍとサブ画素領域Ｓに入力するグレースケールを取得する。
【００４８】
そのうち、前記液晶パネルは、ゲート制御装置とソース制御装置からなり、前記ゲート制御装置は、複数のスキャンラインによって前記画素単位にスキャン信号を提供し、前記ソース制御装置は、複数のデータラインによって前記画素単位にデータ信号を提供する。
【発明の効果】
【００４９】
本発明は、赤色サブ画素と緑色サブ画素のデータ信号ＲとＧが変化しないという前提のもと、従来のＲＧＢ液晶パネルにおける青色サブ画素を２つの異なるメイン画素領域Ｍとサブ画素領域Ｓに分割するとともに、データパラメータを設定し直し、メイン画素領域Ｍとサブ画素領域Ｓはそれぞれデータ信号ラインに接続され、メイン画素領域Ｍとサブ画素領域Ｓに異なるデータ信号を入力することによって、広い視覚において生じる色ずれ問題を改善する。さらに、赤色サブ画素と緑色サブ画素に交差する前記青色サブ画素が輝度に与える影響は最小であり、グレースケールが設定し直された後、前記透過率に影響を与える確率を減少させる。
【図面の簡単な説明】
【００５０】
本発明の実施例または従来の技術案をさらに分かりやすく説明するため、以下に実施例または従来技術を描写するのに必要な図について簡単に紹介する。見て分かる通り、以下に描写する図は本発明の実施例の一部に過ぎず、本領域の一般の技術者にとって、創造力を働かさなくても、これらの図に基づいて他の図を取得できるものとする。
【図１】本発明の実施例が提供する液晶表示装置の構造を示した図である。
【図２】本発明の実施例が提供する液晶パネルの画素単位の一部を示した平面図である。
【図３】本発明の実施例が提供するグレースケールの設定方法のフローチャートである。
【発明を実施するための形態】
【００５１】
以下に本発明の実施例における図と組み合わせて、本発明の実施例における技術案を分かりやすく、すべて説明する。明らかな点として、描写する実施例は、本発明の実施例の一部に過ぎず、すべての実施例ではない。本発明の実施例に基づいて、本領域の一般の技術者が、創造力を働かさないという前提のもとに取得したその他すべての実施例は、すべて本発明の保護範囲内に属するものとする。
【００５２】
図１と図３を参照する。本発明の液晶表示装置は、バックライトモジュール１０とバックライトモジュール１０と向かい合って設置される液晶パネル１２からなる。バックライトモジュール１０は、液晶パネル１２にディスプレイ光源を提供し、液晶パネル１２は、複数の画素単位１４からなる。各画素単位は少なくとも青色サブ画素単位、赤色サブ画素、緑色サブ画素を備える。各画素単位の設定方法は、以下からなる。
【００５３】
前記青色サブ画素を一定の面積比に基づいて、メイン画素領域Ｍ及びサブ画素領域Ｓに分割する。
【００５４】
前記液晶パネルの青色サブ画素の正視角α及びの斜視角βにおける各グレースケールＧの実質輝度を取得する。
【００５５】
前記メイン画素領域Ｍ及びサブ画素領域Ｓの面積比に基づいて、実質輝度を分けるとともに、メイン画素領域Ｍ及びサブ画素領域Ｓにおけるグレースケール値と実質輝度の対応関係を構築する。
【００５６】
最高グレースケールの輝度を取得し、各グレースケールの理論輝度を計算し、１つの画素単位に入力する前記メイン画素領域Ｍ及びサブ画素領域Ｓのグレースケールの組み合わせを設定し、前記画素単位の正視角及び斜視角における、実質輝度と理論輝度の差の和を最小にする。
【００５７】
本実施例において、各画素単位は、少なくとも青色サブ画素からなる。前記液晶パネルに関して、本実施が提供する画素単位の設定方法は、主に、青色サブ画素のグレースケールの設定にそれぞれ使用され、前記方法は、以下からなる。
【００５８】
手順Ｓ１０は、青色サブ画素１４をメイン画素領域Ｍ及びサブ画素領域Ｓに分割する。前記メイン画素領域Ｍ及びサブ画素領域Ｓの面積比はａ：ｂである。
【００５９】
手順Ｓ１１は、前記液晶パネルの青色サブ画素の正視角αにおける各グレースケールＧの実質輝度Ｌｖαを取得する。
【００６０】
手順Ｓ１２は、前記液晶パネルの青色サブ画素の斜視角βにおける各グレースケールＧの実質輝度Ｌｖβを取得する。
【００６１】
手順Ｓ１３は、前記メイン画素領域Ｍ及びサブ画素領域Ｓの面積比に基づいて、実質輝度ＬｖαとＬｖβを以下の関係式によって分ける。
【００６２】
【数９】
2017538148.tif 000011
【００６３】
【数１０】
2017538148.tif 000012
【００６４】
前記メイン画素領域Ｍの正視角α及び斜視角βにおける各グレースケールＧの実質輝度ＬｖＭαとＬｖＭβを取得する。前記サブ画素領域Ｓの正視角亞α及び斜視角βにおける各グレースケールＧの実質輝度ＬｖＳαとＬｖＳβを取得する。
【００６５】
手順Ｓ１４は、手順Ｓ１１とＳ１２が取得した最高グレースケールｍａｘの実質輝度Ｌｖα（ｍａｘ）とＬｖβ（ｍａｘ）、
【数１１】
2017538148.tif 000013
の式に基づいて、前記液晶パネルの青色サブ画素の正視角αと斜視角βにおけるグレースケールＧの理論輝度ＬｖＧｘαとＬｖＧｘβを算出する。
【００６６】
手順Ｓ１５は、前記青色サブ画素のうちの１つのグレースケールＧｘを確定し、メイン画素領域Ｍとサブ画素領域Ｓ入力される所定のグレースケールをそれぞれＧｍｘとＧｓｘとし、上述の手順Ｓ１３の結果から得られた実質輝度ＬｖＭαとＬｖＭβ及びＬｖＳαとＬｖＳβ、及び、上述の手順Ｓ１４の結果から得られた理論輝度ＬｖＧｘαとＬｖＧｘβに基づいて、以下の関係式を計算する。
【００６７】
【数１２】
2017538148.tif 000014
【００６８】
ｙが最小値を取得する時に対応するグレースケールＧｍｘとＧｓｘは、前記青色サブ画素がグレースケールＧｘの時にメイン画素領域Ｍとサブ画素領域Ｓに入力されるグレースケールに設定される。
【００６９】
手順Ｓ１６は、画素単位の青色サブ画素の各グレースケールに対して手順Ｓ１５を繰り返し、さらに前記画素単位におけるすべてのグレースケールにおいて、メイン画素領域Ｍとサブ画素領域Ｓにそれぞれ入力するグレースケールを取得する。
【００７０】
そのうち、前記メイン画素領域Ｍとサブ画素領域Ｓの間をブラックマトリックスで分割する。不透光の金属ラインで分割することもできる。
【００７１】
液晶パネル１２は、ゲート制御装置とソース制御装置からなり、前記ゲート制御装置は、複数のスキャンラインＧによって前記画素単位にスキャン信号を提供し、前記ソース制御装置は、複数のデータラインＤによって前記画素単位にデータ信号を提供する。
【００７２】
さらに、前記メイン画素領域Ｍとサブ画素領域Ｓの斜視角における輝度曲線Ｇａｍｍａ（γ）曲線において、γ＝２．２である。
【００７３】
さらに、本実施例において、正視角αは０°であり、斜視角βは６０°である。その他の実施例において、前記斜視角βは３０〜８０°の範囲内から選択することができる。
【００７４】
本実施例において、前記液晶パネルのグレースケールは、０から２５５までの２５６個のグレースケールを備え、そのうち、最高グレースケールｍａｘは２５５である。
【００７５】
さらに、前記液晶パネルの青色サブ画素の正視角αにおける各グレースケールＧの実質輝度Ｌｖαを取得する前記手順は、以下からなる。
【００７６】
正視角αにおけるｇａｍｍａ曲線を直接測定する。
【００７７】
ｇａｍｍａ曲線により前記実質輝度Ｌｖαを確定する。
【００７８】
さらに、前記液晶パネルの青色サブ画素の斜視角βにおける各グレースケールＧの実質輝度を取得する前記手順は、以下からなる。
【００７９】
斜視角βにおけるｇａｍｍａ曲線Ｌｖβを直接測定する。
【００８０】
ｇａｍｍａ曲線により前記実質輝度Ｌｖβを確定する。
【００８１】
本発明のその他の実施例において、手順１３は、メイン画素領域Ｍの正視角α及び斜視角βにおける各グレースケールＧの実質輝度ＬｖＭαとＬｖＭβを取得する。前記サブ画素領域Ｓの正視角α及び斜視角βにおける各グレースケールＧの実質輝度ＬｖＳαとＬｖＳβは、さらに以下の方法で取得することができる。
【００８２】
まず、前記液晶パネルの青色サブ画素の正視角あるαにおける実質輝度とグレースケールの関係曲線Ｇ０−ＬｖαＧ０を取得する。それから、関係曲線Ｇ０−ＬｖαＧ０からＬｖＭαとＬｖＳαの数値を調べる。
【００８３】
まず、前記液晶パネルの青色サブ画素の斜視角βにおける実質輝度とグレースケールの関係曲線Ｇ０−ＬｖβＧ０を取得する。それから、関係曲線Ｇ０−ＬｖβＧ０からＬｖＭβとＬｖＳβの数値を調べる。
【００８４】
所定のメイン画素領域Ｍ及びサブ画素領域Ｓの面積比がａ：ｂ＝２：１、Ｇａｍｍａ（γ）曲線において、γ＝２．２、正視角  α＝０°、斜視角β＝６０°を具体的な例として挙げ、メイン画素領域Ｍ及びサブ画素領域Ｓのグレースケールを分ける本方法について、具体的なプロセスを詳しく説明する。
【００８５】
まず、液晶パネルの正視角α＝０°、斜視角β＝６０°におけるＧａｍｍａ（γ）曲線を取得し、前記曲線に基づいて、正視角０°、斜視角６０°における各グレースケールＧの実質輝度ＬｖＯ（０−２５５）とＬｖ６０（０−２５５）を確定する。
【００８６】
それから、メイン画素領域Ｍ及びサブ画素領域Ｓの面積比ａ：  ｂ＝２：１に基づいて、実質輝度ＬｖＯ（０−２５５）とＬｖ６０（０−２５５）をＬｖＭ０とＬｖＭ６０、及びＬｖＳ０とＬｖＳ６０に分けるとともに、以下の関係式を満たす。
【００８７】
【数１３】
2017538148.tif 000015
【００８８】
【数１４】
2017538148.tif 000016
【００８９】
前記メイン画素領域Ｍの正視角０°及び斜視角６０°における各グレースケールＧの実質輝度ＬｖＭ０（０−２５５）とＬｖＭ６０（０−２５５）を取得する。前記サブ画素領域Ｓの正視角０°及び斜視角６０°における各グレースケールＧの実質輝度ＬｖＳ０（０−２５５）とＬｖＳ６０（０−２５５）を取得し、メイン画素領域Ｍ及びサブ画素領域ＳにおけるグレースケールＧと実質輝度の対応関係を構築する。
【００９０】
さらに、最高グレースケール２５５の実質輝度Ｌｖ０（２５５）とＬｖ６０（２５５）、
【数１５】
2017538148.tif 000017
の式に基づいて、前記液晶パネルの青色サブ画素の正視角αと斜視角βにおけるグレースケールＧの理論輝度ＬｖＧ０（０−２５５）とＬｖＧ６０（０−２５５）を算出する。
【００９１】
最後に、前記青色サブ画素のうちの１つのグレースケールＧｘ（０−２５５のうちの１つ）を確定し、メイン画素領域Ｍとサブ画素領域Ｓに入力される所定のグレースケールをそれぞれＧｍｘとＧｓｘとし、メイン画素領域Ｍ及びサブ画素領域Ｓにおけるグレースケール値Ｇと実質輝度の対応関係に基づいてＬｖＭ０、ＬｖＭ６０、ＬｖＳ０、ＬｖＳ６０を取得するとともに、上述の理論輝度の結果に基づいてＬｖＧｘ０とＬｖＧｘ６０を取得し、以下の関係式を計算する。
【００９２】
【数１６】
2017538148.tif 000018
【００９３】
何度もＧｍｘとＧｓｘの数値の組み合わせを試すことによって、組み合わせ値によって上述のｙが最小値を取得する時、この時のグレースケールＧｍｘとＧｓｘは、前記青色サブ画素がグレースケールＧｘの時にメイン画素領域Ｍとサブ画素領域Ｓに入力されたグレースケールに設定される。
【００９４】
最後に、画素単位の青色サブ画素の各グレースケールに対して上述の手順を繰り返し、さらに前記画素単位におけるすべてのグレースケール（０−２５５）において、メイン画素領域Ｍとサブ画素領域Ｓに入力するグレースケールを取得する。
【００９５】
本発明は、赤色サブ画素と緑色サブ画素のデータ信号ＲとＧが変化しないという前提のもと、従来のＲＧＢ液晶パネルにおける青色サブ画素を２つの異なるメイン画素領域Ｍとサブ画素領域Ｓに分割するとともに、データパラメータを設定し直し、メイン画素領域Ｍとサブ画素領域Ｓはそれぞれデータ信号ラインに接続され、メイン画素領域Ｍとサブ画素領域Ｓに異なるデータ信号を入力することによって、広い視覚において生じる色ずれ問題を改善する。さらに、赤色サブ画素と緑色サブ画素に交差する前記青色サブ画素が輝度に与える影響は最小であり、グレースケールが設定し直された後、前記透過率に影響を与える確率を減少させる。
【００９６】
上述に開示した内容は、本発明の比較的好ましい実施例に過ぎず、当然のことながら、これによって本発明の請求範囲を制限することはできず、本領域の一般の技術者は上述の実施例のすべてのまたは一部の工程を理解し実行できるものとする。さらに本発明の請求範囲に基づいて加えられた同等の変化も、本発明の請求範囲内に属するものとする。
【符号の説明】
【００９７】
１０  バックライトモジュール
１２  液晶パネル
１４  画素単位
Ｍ    メイン画素領域
Ｓ    サブ画素領域
Ｇ    スキャンライン
Ｄ    データライン
【図１】
2017538148.tif 000025
【図２】
2017538148.tif 000026
【図３】
2017538148.tif 000027
【国際調査報告】
2017538148.tif 000028
2017538148.tif 000029
2017538148.tif 000030
2017538148.tif 000031